(57)【要約】【課題】プリント用紙がないときにプリンター付カメラが変形して液晶を破損してしまうことを防止する。【解決手段】プリント用紙を挿入できる空間に飛び出してくるように構成したつっかえ棒の役割をする支持部材を設ける。支持部材はプリント用紙に押されて退避可能に構成されている。【選択図】      図１
2004174826.tif 000002
【特許請求の範囲】
【請求項１】
プリンター付カメラであって、印刷媒体を挿入可能なものに於いて、印刷媒体収納空間に進入・退避可能に構成された移動部材を備え、該移動部材が印刷媒体未挿入時には印刷媒体収納空間に進入し、印刷媒体挿入時には印刷媒体収納空間から退避することを特徴とするプリンター付カメラ。
【請求項２】
請求項１に於いて、前記移動部材は光軸と直角な軸を中心軸として回転移動可能に構成されていることを特徴とするプリンター付カメラ。
【請求項３】
請求項２に於いて、前記移動部材が光軸と平行な状態へ回転移動した場合に、印刷媒体収納空間の内壁と近接することを特徴とするプリンター付カメラ。
【請求項４】
請求項１に於いて、前記移動部材は光軸と平行な軸を中心軸として回転移動可能に構成されていることを特徴とするプリンター付カメラ。
【請求項５】
請求項４に於いて、前記移動部材の光軸方向厚さは印刷媒体収納空間の光軸方向長さと略同一であることを特徴とするプリンター付カメラ。
【請求項６】
請求項１から請求項５のいずれかに於いて、前記プリンター付カメラは画像表示部を備え、前記移動部材は画像表示部が配置されている近傍に移動可能に構成されていることを特徴とするプリンター付カメラ。
【請求項７】
請求項１から請求項５のいずれかに於いて、前記移動部材は印刷媒体検出手段を兼用することを特徴とするプリンター付カメラ。
【請求項８】
請求項７に於いて、前記プリンター付カメラは画像表示部を備え、印刷媒体を検出した際には印刷媒体が挿入されていることを画像表示部に表示する制御手段を有することを特徴とするプリンター付カメラ。
【発明の詳細な説明】
【０００１】
【発明の属する技術分野】
本発明は、プリンター付カメラに関するものである。
【０００２】
【従来の技術】
従来プリンター付カメラとしては、特開２０００−１１８１００号広報、特開平１１−３１７８９７号広報、特開２００１−１１１８７６号広報などにその構造が提案されている。特開２０００−１１８１００号広報では、プリンター部がカメラ部下部に配置され、特開平１１−３１７８９７号広報では、プリンター部がグリップ部に配置されたものが提案されている。また、特開２００１−１１１８７６号広報では複数の感光紙をプリンター付カメラに収納可能に構成し画像を確認しながら印刷可能なものが提案されている。
【０００３】
【発明が解決しようとする課題】
しかしながら、特開２０００−１１８１００号広報及び、特開平１１−３１７８９７号公報記載の構成は、印画紙が無い場合には、プリンター部に空洞ができ外力に対して変形を起こしやすい問題がある。特開２００１−１１１８７６号広報では液晶部がカメラ背面にあり感光紙がない場合、変形による破損を防止するためにプリンター付カメラの筐体を強固に構成する必要があるため、本体の小型化が困難となる問題点がある。
【０００４】
【課題を解決するための手段】
本発明は、このような問題を鑑みて為されたものであり、光軸方向の変形を防止する支持部材を挿入することで印刷媒体が無い場合にもプリンター部周辺が外力により変形することを防止することを目的としている。また、変形を防止することで液晶の破損を防止することを目的としている。さらに変形防止部材を印刷媒体の検出器として使用することで容易に印刷媒体を検出する。
【０００５】
上記目的を達成するために、請求項１記載の本発明はプリンター付カメラであって、印刷媒体を挿入可能なものに於いて、印刷媒体収納空間に進入・退避可能に構成された移動部材を備え、該移動部材が印刷媒体未挿入時には印刷媒体収納空間に進入し、印刷媒体挿入時には印刷媒体収納空間から退避することを特徴としている。
【０００６】
請求項２記載の本発明は、請求項１に於いて、前記移動部材は光軸と直角な軸を中心軸として回転移動可能に構成されていることを特徴としている。
【０００７】
請求項３記載の本発明は、請求項２に於いて、前記移動部材が光軸と平行な状態へ回転移動した場合に、印刷媒体収納空間の内壁と近接することを特徴としている。
【０００８】
請求項４記載の本発明は、請求項１に於いて、前記移動部材は光軸と平行な軸を中心軸として回転移動可能に構成されていることを特徴としている。
【０００９】
請求項５記載の本発明は、請求項４に於いて、前記移動部材の光軸方向厚さは印刷媒体収納空間の光軸方向長さと略同一であることを特徴としている。
【００１０】
請求項６記載の本発明は、請求項１から請求項５のいずれかに於いて、前記プリンター付カメラは画像表示部を備え、前記移動部材は画像表示部が配置されている近傍に移動可能に構成されていることを特徴としている。
【００１１】
請求項７記載の本発明は、請求項１から請求項５のいずれかに於いて、前記移動部材は印刷媒体検出手段を兼用することを特徴としている。
【００１２】
請求項８記載の本発明は、請求項７に於いて、前記プリンター付カメラは画像表示部を備え、印刷媒体を検出した際には印刷媒体が挿入されていることを画像表示部に表示する制御手段を有することを特徴としている。
【００１３】
【発明の実施の形態】
（実施例１）
図１−１は本発明を適用したプリンター付カメラの断面図である。本体１００の内部の印刷媒体収納空間２００に印刷媒体が複数枚収納され、印刷媒体２０１に印画中の状態を示している。
【００１４】
図１−２は、本体１００の内部に印刷媒体が収納されていない状態の断面図である。
【００１５】
図１−１と図１−２を用いて本発明を詳説する。
【００１６】
プリンター付カメラの内部には、印刷媒体の移動状態を検知するプリント用紙用フォトインタラプタ（以下、ＰＩという）３００，プリント用紙にインクを噴出させることで画像データを印画する印画ヘッド３０１、印画ヘッド３０１の駆動状態を検出する印画ヘッド用ＰＩ３０２、印画ヘッド３０１の駆動状態を反映する櫛歯歯車３０３、プリント機構を駆動するモーター３０４、印刷媒体２０１を移動させる搬送ローラー３０５、印画ヘッドの回転を規制する規制部材３０６，印画ヘッド３０１を駆動する駆動部材３０７、撮影レンズ鏡筒１０３に内包された撮影レンズ１０２を通過した被写体光を電気信号に変換する固体撮像素子３０８、撮像した画像データを蓄積するためのメモリ３１１が内蔵されている。３１０はプリンター付カメラに電源を供給する蓄電池である。
【００１７】
印画ヘッド３０１には、印画ヘッド駆動部３０１ｂと印画ヘッド規制部３０１ａとが設けられている。印画ヘッド規制部３０１ａが規制部材３０６と嵌合している。駆動部材３０７、印画ヘッド駆動部３０１ｂにはネジが刻まれており、駆動部材３０７の回転駆動により駆動ヘッド３０１は紙面表裏方向に駆動される。
【００１８】
尚、本実施例では、プリンター方式をインクジェット方式としているが、本発明はこれに限定されるものではなく、レーザービーム方式、熱昇華型等、他のプリンター方式にも適用可能である。
【００１９】
印刷媒体が印刷媒体収納空間２００に挿入されていない場合には回転支持部材３１２、３１３は不図示の付勢部材により紙面半時計方向に付勢され、図１−２に示す状態、すなわち光軸と略平行な状態で維持される。回転支持部材３１２、３１３は画像表示部１０１と対向する領域に設けられており、光軸と略平行な状態では、先端部が印刷媒体収納空間２００の内壁に近接するように設定されている。
【００２０】
尚、本発明では回転支持部材を２個としているが本発明はこれに限定されるものではなく、少なくとも１個あればよい。
【００２１】
印刷媒体が印刷媒体収納空間２００に紙面左から右方向へ挿入されると、回転支持部材３１２、３１３がそれぞれ、光軸と垂直をなす平面上に配置された回転軸３１２ａ、３１３ａを中心として紙面時計回りに回転し、それぞれ凹部３１２ｂ、３１３ｂに収納される。回転支持部材３１２、３１３が収納されるための回転方向は、印刷媒体によって押されて回転する方向に設定されている。回転支持部材３１２を収納する凹部３１２ｂには検出器３０９が配置されており、回転支持部材３１２が凹部３１２ｂに収納されているか否かを検出する。印刷媒体により回転支持部材３１２が凹部３１２ｂに押し込まれると、画像表示部１０１に印刷媒体が収納されていることを表示する。表示は図３−１に示すように隅部に何らかの表示をしても良いし、図３−２に示すように枠を表示しても良い。以上の流れをフローチャート図４を用いて説明する。ＳＴＡＲＴ及びＳＴＯＰは印刷可能状態での待機状態である。ステップ１において、印刷媒体がプリンター付カメラに挿入されたかどうか、検出器３０９により判断される。印刷媒体が未挿入であると判断されると待機状態のまま待機する。印刷媒体が挿入されたと判断されると、ステップ２に於いて画像表示部に印刷媒体が挿入されていることを示す表示を行う。ステップ３に於いて印刷実行の指示が出されたかどうかが判断され、指示がない場合には印刷媒体が挿入されていることを画像表示部に表示したまま待機する。印刷実行指示があった場合にはステップ４に於いて印刷が実行され、待機状態となる。
【００２２】
印刷動作について略説する。印刷時には印刷媒体２０１が搬送ローラー３０５によって印画ヘッド３０１まで送られる。印画ヘッド３０１がインクを印刷媒体２０１の表面に噴出しながら紙面表裏方向に移動することで印画が行われる。印画紙の搬送状態はプリント用紙用ＰＩ、印画ヘッドの駆動状態は印画ヘッド用ＰＩによって制御、監視される。
【００２３】
図５は本発明を適用したプリンター付カメラのブロック図である。
【００２４】
（実施例２）
図２−１、図２−２は本発明の第２の形態を適用したプリンター付カメラの断面図であり、上下方向の断面を被写体側から撮影者側を見た図である。図２−１は印刷媒体が未挿入の場合、図２−２は印刷媒体が挿入された場合の図である。図２−２には印刷媒体は図示していない。プリンター付カメラの構成は実施例１と同様でよいから説明を省略する。実施例１と同一番号のものは同一機能を持つものである。印刷媒体収納空間２００に隣接して印画ヘッド３０１が規制部材３０６と駆動部材３０７により移動する空間が設けられているのは実施例１と同様である。
【００２５】
領域１０１ａは画像表示部１０１が配置されている領域を示したものである。領域１０１ａに進入するように不図示の付勢部材により付勢された回転支持部材３１４、３１５が設けられており、回転軸３１４ａ、３１５ａを中心軸として回転移動可能に構成されている。回転軸３１４ａ、３１５ａは光軸と略平行に配置されている。回転支持部材３１４、３１５を収納する凹部３１４ｂ、３１５ｂが実施例１と同様に設けられており、回転支持部材３１４、３１５の収納は印刷媒体の挿入により押し込まれて行われる。回転支持部材３１４、３１５の光軸方向厚さは、印刷媒体収納空間２００の光軸方向長さと略同一に設定されている。凹部３１４ｂには検出器３０９が配置されており、回転支持部材３１４の移動による印刷媒体の有無を検出する。印刷媒体の有無による画像表示部への表示制御は実施例１と同様でよい。
【００２６】
尚、本実施例では回転支持部材を２個としたが本発明はこれに限定されるものではなく、少なくとも１個あればよい。
【００２７】
【発明の効果】
以上のように、請求項１から請求項５記載の本発明を用いると、回転移動する支持部材を設けることで、外力によりプリンター付カメラの本体がたわみ変形を起こした場合、支持部材がつっかえ棒となることで変形を防止することが可能となる。
【００２８】
請求項６記載の本発明を用いると、液晶の変形による破損を防止することが可能となる。
【００２９】
請求項７記載の本発明を用いると、印刷媒体の検出が容易になる。
【００３０】
請求項８記載の本発明を用いると、印刷媒体が挿入されているか否かが容易に判別可能となる。
【図面の簡単な説明】
【図１】図１−１は本発明を適用したプリンター付カメラの断面図である。図１−２は本発明を適用したプリンター付カメラの断面図である。
【図２】図２−１は本発明を適用したプリンター付カメラの断面図である。図２−２は本発明を適用したプリンター付カメラの断面図である。
【図３】図３−１は印刷媒体が挿入時の画像表示である。図３−２は印刷媒体が挿入時の画像表示である。
【図４】表示・印刷のフローチャートである。
【図５】本発明を適用したプリンター付カメラのブロック図である。
【符号の説明】
１００        本体
１０１        画像表示部
１０２        撮影光学レンズ
１０３        撮影光学鏡筒
２００        媒体収納空間
２０１        印画紙
３００        プリント用紙用ＰＩ
３０１        印画ヘッド
３０１ａ      印画ヘッド規制部
３０１ｂ      印画ヘッド駆動部
３０２        印画ヘッド用ＰＩ
３０３        櫛歯歯車
３０４        モーター
３０５        搬送ローラー
３０６        規制部材
３０７        駆動部材
３０８        光電変換素子
３０９        検出器
３１０        電池
３１１        メモリ
３１２〜３１５            回転支持部材
３１２ａ〜３１５ａ        回転軸
３１２ｂ〜３１５ｂ        凹部
【図１】
2004174826.tif 000003
【図２】
2004174826.tif 000004
【図３】
2004174826.tif 000005
【図４】
2004174826.tif 000006
【図５】
2004174826.tif 000007